(57)【要約】【課題】簡易な構成でかつ昇降路のオーバーヘッド寸法に制限を掛けずエレベータの設計裕度を大きくできるエレベータの揚重用吊り装置の提供。【解決手段】鉄筋部材３上に載置される基板部材１７と、この基板部材１７に連結され、下端が頂部壁２の底面より上方に位置する円筒体１８と、この円筒体１８に螺合するアイボルト１９と、基板部材１７を挟んで円筒体１８に螺合するボルト２０とから構成した。これにより、円筒体１８に螺合したアイボルト１９を用いてエレベータ構成機器の揚重作業を行なった後、アイボルト１９を円筒体１８から取外すことにより、頂部壁２の底面より下方に突出するものをなくす。【選択図】        図１
2004277122.tif 000002
【特許請求の範囲】
【請求項１】
乗かごが昇降する昇降路の頂部壁に埋設され、エレベータの各構成部品を揚重する際の吊り点を有するエレベータの揚重用吊り装置において、
前記頂部壁の内部で水平方向に延設される強度部材に載置され、貫通孔を有する基板部材と、前記貫通孔と同一の孔芯を有するよう前記基板部材に連結され、内部にめねじ部を有するとともに下端が前記頂部壁の底面より上方に位置する円筒体と、この円筒体のめねじ部へ螺進退可能に螺合し、下部に前記吊り点を備えた吊り部材と、前記基板部材を挟んで前記円筒体に螺合する穴埋め用ボルトとから成ることを特徴とするエレベータの揚重用吊り装置。
【発明の詳細な説明】
【０００１】
【発明の属する技術分野】
本発明は、エレベータの揚重用吊り装置に関する。
【０００２】
【従来の技術】
一般にエレベータの据付時もしくは改修時には、乗かごなど多数のエレベータ構成機器を揚重するため吊り点を備えた揚重用吊り装置が設けられている。
【０００３】
図４はこの種の従来のエレベータの揚重用吊り装置を示す説明図、図５は図４の揚重用吊り装置により揚重作業を終了した後の状態を示す縦断面図である。
【０００４】
図５に示すエレベータは、図示しない乗かごが昇降する昇降路１を有し、図４に示すように、昇降路１の頂部壁２内部には、強度部材である鉄筋部材３が水平方向に延設されており、この鉄筋部材３を含む型枠４より上方の部分にモルタル５を打ち込むことにより昇降路１の頂部壁２が形成されている。
【０００５】
そして従来の揚重用吊り装置は、昇降路１の頂部壁２に埋設されるＬ鋼部材６と、このＬ鋼部材６の貫通孔７にそれぞれ挿し込まれ、上端にダブルナット８が螺合する一対のスタッドボルト９と、これらのスタットボルト９がそれぞれ挿し込まれる貫通穴１０を有し、下端にダブルナット１１が螺合する一対のＬ鋼部材１２とからなり、この一対のＬ鋼部材１２の縦板部１３が背中合せに連結されるとともに、これらの縦板部１３に吊り点用孔１４が形成されている。この揚重用吊り装置では、昇降路１の頂部壁２を形成する際に、鉄筋部材３上にＬ鋼部材６を載置してスタットボルト９を垂下した状態で型枠４より上方にモルタル５を打ち込むことにより、昇降路１の頂部壁２の内部にＬ鋼部材６およびスタットボルト９の一部を埋設するようになっている（例えば、特許文献１参照。）。
【０００６】
【特許文献１】
特開昭５９−３４３７０号公報
（２頁右上段１５行目〜３頁右上段１６行目、第３図）
【０００７】
【発明が解決しようとする課題】
ところで、上記特許文献１に記載された従来技術によれば、吊り点用孔１４を有するＬ鋼部材１２をスタッドボルト９にダブルナット１１にて締結固定する構造であることから、型枠４にスタットボルト９の貫通孔を設けるだけでモルタル５を打ち込めるため、揚重用吊り装置の埋設作業性についてはある程度考慮がなされているが、この揚重用吊り装置により発生するオーバーヘッド寸法Ｌ１の制限についての考慮は十分になされていなかった。すなわち、図５に示すようにスタットボルト９からＬ鋼部材１２を取外したとしても、スタッドボルト９の突出寸法Ｌ２分だけ昇降路１のオーバーヘッド寸法Ｌ１を圧迫することになり、エレベータの設計裕度を小さくするという問題があった。また、スタッドボルト９の突出部分を切断することも考えられるが、この場合にはスタッドボルト９の切断による火災防止のための養生作業等が非常に煩雑であるという不都合もあった。
【０００８】
なお、近年においては建屋内におけるエレベータ占有部分を最小限に抑えようとする傾向にあることから、昇降路１の最上階乗場１５から頂部壁２までのオーバーヘッド寸法Ｌ１が必然的に小さくなっている。
【０００９】
本発明は、上記した従来技術における実状を鑑みてなされたもので、その目的は、簡易な構成でかつ昇降路のオーバーヘッド寸法に制限を掛けずエレベータの設計裕度を大きくすることのできるエレベータの揚重用吊り装置を提供することにある。
【００１０】
【課題を解決するための手段】
上記目的を達成するため、本発明の請求項１に係る発明は、乗かごが昇降する昇降路の頂部壁に埋設され、エレベータの各構成部品を揚重する際の吊り点を有するエレベータの揚重用吊り装置において、前記頂部壁の内部で水平方向に延設される強度部材に載置され、貫通孔を有する基板部材と、前記貫通孔と同一の孔芯を有するよう前記基板部材に連結され、内部にめねじ部を有するとともに下端が前記頂部壁の底面より上方に位置する円筒体と、この円筒体のめねじ部へ螺進退可能に螺合し、下部に前記吊り点を備えた吊り部材と、前記基板部材を挟んで前記円筒体に螺合する穴埋め用ボルトとから成る構成にした。
【００１１】
このように構成した請求項１に係る発明では、昇降路の頂部壁を形成する際、この頂部壁内の強度部材上に基板部材を載置して円筒体を垂下した状態で型枠より上方の部分にモルタルを打ち込むことにより、昇降路の頂部壁の内部に基板部材および円筒体を埋設する。次いで、エレベータ据付時や改修時に円筒体のめねじ部に吊り部材を螺合させて吊り点を用いてエレベータ構成機器の揚重作業を行なった後、吊り部材を円筒体から螺退させて取外すようになっている。これにより、吊り部材を円筒体から螺退させて取外せば、この円筒体が昇降路の頂部壁の底面より上方に埋設されているため、昇降路の頂部壁の底面より下方に突出するものはなくなり、昇降路のオーバーヘッド寸法に制限を掛けずエレベータの設計裕度を大きくすることができる。
【００１２】
【発明の実施の形態】
以下、本発明のエレベータの揚重用吊り装置の実施の形態を図に基づいて説明する。
【００１３】
図１は本発明の一実施形態に係るエレベータの揚重用吊り装置を示す説明図、図２は図１の揚重用吊り装置を用いたエレベータ構成機器の揚重方法を説明する縦断面図、図３は図１の揚重用吊り装置により揚重作業を終了した後の状態を示す縦断面図である。なお、図１〜図３において前述した図４、図５に示すものと同等のものには同一符号を付してある。
【００１４】
図１に示す本実施形態の揚重用吊り装置は、鉄筋部材３上に載置され貫通孔１６を有する基板部材１７と、貫通孔１６と同一の孔芯を有するよう基板部材１７に連結される円筒体１８と、この円筒体１８に螺合する吊り部材、例えばアイボルト１９と、基板部材１７を挟んで円筒体１８に螺合する穴埋め用ボルト２０とから構成されている。
【００１５】
円筒体１８はその内部にめねじ部２１を有し、その下端が頂部壁２の底面より上方に位置している。アイボルト１９は、めねじ部２１へ螺進退可能なおねじ部２２と、このおねじ部２２の下端に設けられるリング部２３とからなっている。
【００１６】
この実施形態の揚重用吊り装置にあっては、昇降路１の頂部壁２を形成する際に、鉄筋部材３上に基板部材１７を載置して円筒体１８を垂下した状態で型枠４より上方にモルタル５を打ち込むことにより、昇降路１の頂部壁２の内部に基板部材１７および円筒体１８を埋設するようになっている。このとき、型枠４には円筒体１８に相当する図示しない貫通孔が設けられているが、穴埋め用ボルト２０が円筒体１８の上端開口を塞いでいるため、円筒体１８から型枠４の貫通孔に向けてモルタル５が流れ出ることはない。また、穴埋め用ボルト２０は基板部材１６を挟んで円筒体１８に螺合しているため、揚重荷重により基板部材１６と円筒体１８が外れることは無い。
【００１７】
そして、図２に示すように、据付時や改修時にエレベータ構成機器である巻上げ機２４等の揚重作業を行なう際、アイボルト１９のリング部２３に揚重機２５を取付け、この揚重機２５より引き出されたワイヤロープ２６を巻上げ機２４等に連結し、揚重機２５によりワイヤロープ２６を巻き取ることにより巻上げ機２４等を吊り上げる。このようにして揚重機２５により、エレベータ据付時に全てのエレベータ構成機器を昇降路１内に揚重した後、または改修時に全てのエレベータ構成機器を昇降路１外に搬出した後、図３に示すように、アイボルト１９を円筒体１８から螺退させて取外すようになっている。
【００１８】
このように構成した実施形態の揚重用吊り装置では、エレベータ構成機器の揚重作業を終了した後、アイボルト１９を円筒体１８から取外すので、頂部壁２の底面より下方に突出するものがなくなり、昇降路１のオーバーヘッド寸法Ｌ３を確保することが可能である。
【００１９】
【発明の効果】
以上説明したように、本発明は、エレベータ据付時や改修時に円筒体に吊り部材を螺合させて吊り点を用いてエレベータ構成機器の揚重作業を行なった後、吊り部材を円筒体から取外すことにより、この円筒体が昇降路の頂部壁の底面より上方に埋設されているため、昇降路の頂部壁の底面より下方に突出するものはなく、昇降路のオーバーヘッド寸法に制限を掛けずエレベータの設計裕度を大きくすることができる。
【図面の簡単な説明】
【図１】本発明の一実施形態に係るエレベータの揚重用吊り装置を示す説明図である。
【図２】図１の揚重用吊り装置を用いたエレベータ構成機器の揚重方法を説明する縦断面図である。
【図３】図１の揚重用吊り装置により揚重作業を終了した後の状態を示す縦断面図である。
【図４】従来のエレベータの揚重用吊り装置を示す説明図である。
【図５】図４の揚重用吊り装置により揚重作業を終了した後の状態を示す縦断面図である。
【符号の説明】
１  昇降路
２  頂部壁
３  鉄筋部材（強度部材）
４  型枠
５  モルタル
１６  貫通孔
１７  基板部材
１８  円筒体
１９  アイボルト（吊り部材）
２０  穴埋め用ボルト
２１  めねじ部
２３  リング部（吊り点）
２４  巻上げ機
２５  揚重機
２６  ワイヤロープ
【図１】
2004277122.tif 000003
【図２】
2004277122.tif 000004
【図３】
2004277122.tif 000005
【図４】
2004277122.tif 000006
【図５】
2004277122.tif 000007